(57)【要約】【課題】簡単な構造で収納物の移動を規制することができ、しかも、直径が１２ｃｍの光ディスクを定形郵便物として郵送することも可能なパッケージを提供することである。【解決手段】対向する二辺を有するベースプレートｂの表面を覆う弾性を有する弾性シートＦを、ベースプレートｂの周囲に固定して、弾性シートＦとベースプレートｂとの間に収納スペースを設けるとともに、収納スペースをベースプレートｂの一辺１９側に設けた開口部２０を介して外部に連通させる一方、弾性シートＦには蓋部２１を設け、蓋部２１によって開口部２０を塞ぐパッケージであって、弾性シートＦの厚みを１０〜８０ミクロンにする一方、ベースプレートｂの他辺１８側に固定する弾性シートを、ベースプレートｂの裏面１７で固定するとともに、弾性シートＦの蓋部２１もベースプレートｂの裏面１７で固定する。【選択図】  図３
2004210317.tif 000002
【特許請求の範囲】
【請求項１】
少なくとも対向する二辺を有するベースプレートと、このベースプレートの表面を覆うとともに所定の弾性を有する弾性シートとを備え、上記弾性シートをベースプレートの周囲に固定して、これら弾性シートとベースプレートとの間に収納スペースを設けるとともに、この収納スペースをベースプレートの一辺側に設けた開口部を介して外部に連通させる一方、上記弾性シートには蓋部を設け、この蓋部によって上記開口部を塞ぐパッケージであって、上記弾性シートの厚みを１０〜８０ミクロンにする一方、上記ベースプレートの他辺側に固定する弾性シートを、ベースプレートの裏面で固定するとともに、この弾性シートの蓋部も、ベースプレートの裏面で固定することを特徴とするパッケージ。
【請求項２】
ベースプレートを長方形にするとともに、その短辺の幅を１２ｃｍとしたことを特徴とする請求項１記載のパッケージ。
【請求項３】
複数の紙によって構成された冊子を、ベースプレートとしたことを特徴とする請求項１または２記載のパッケージ。
【発明の詳細な説明】
【０００１】
【発明の属する技術分野】
この発明は、収納する物品をしっかり保持することができるパッケージに関し、特に、ＣＤ−ＲＯＭやＤＶＤ等（以下「光ディスク」という）を郵送する場合に最適なパッケージに関する。
【０００２】
【従来の技術】
光ディスクを包装するパッケージとして、例えば特許文献１に記載されたものが従来から知られている。
この従来のパッケージは、図９に示すように、背板１と前板２とを側壁板３，４及び底壁板５によって接続するとともに、上記背板１の上端には、天壁板６及び蓋板７を連続させている。
また、上記前板２に押圧片８を設けるとともに、この押圧片８を背板１の下側に向けて斜めに折り曲げている。
さらに、上記天壁板６と蓋体７との境界部分にも押圧片９を設け、この押圧板９を背板１側に向けて斜めに突出させている。
【０００３】
上記のようにしたパッケージは、図１０に示すように、蓋体７を前板２にのり付けすることによって封をする。
また、収納部Ｂ内には、光ディスクＤを斜めにして収納するようにしている。そして、この光ディスクＤを押圧片８と押圧片９とで支持することによって、光ディスクＤが動かないようにしている。
【０００４】
上記のようにした従来のパッケージは、定形郵便物として取り扱うことができるようにしたものである。すなわち、定形郵便物とは、幅が９ｃｍ〜１２ｃｍ、長さが１４ｃｍ〜２３，５ｃｍ、厚みが１ｃｍ以下、重さが５０ｇ以下のものをいい、これらの条件を全て満たすものであれば定形郵便物となり、低料金で郵送することができるというメリットがある。
【０００５】
そこで、上記従来例では、上記背板１及び前板２の幅Ｗを１２ｃｍにするとともに、その長さを２３，５ｃｍとしている。また、側壁板３，４及び底壁板５によって１ｃｍ以下の厚みを設けている。
上記のように収納部Ｂに厚みを設けているので、その対角線の長さが１２ｃｍ以上になる。収納部Ｂの対角線の長さが１２ｃｍ以上になるので、光ディスクＤを傾けることによって、直径が１２ｃｍのＣＤ−ＲＯＭやＤＶＤを収納することができる。
【０００６】
なお、幅の外寸が１２ｃｍの平封筒に、直径１２ｃｍの光ディスクＤを収納しようとしても、平封筒の内寸は１２ｃｍ未満であるので、光ディスクＤが飛び出てしまう。そのため、幅の外寸が１２ｃｍの平封筒では、直径１２ｃｍの光ディスクを定形郵便物として郵送することができない。このような問題があったので、上記従来例では、パッケージに厚みを持たせることで、定形郵便物の規格内で光りディスクＤを収納するようにしている。
【０００７】
【特許文献１】
特開２００１−１０６９０号公報（第３頁〜第４頁、図１，図４）
【０００８】
【発明が解決しようとする課題】
上記従来のパッケージは、収納部Ｂの対角線の長さを必要とするために、厚みを設けている。
しかし、このように厚みを設けると、光ディスクが収納部Ｂ内で動くおそれがあるので、この動きを規制するための押圧片８，９が必要となる。そのため、押圧片８，９を設ける分、構造が複雑になってコストアップを招くという問題があった。
ここで、平封筒のように、パッケージの厚みをなくせば、収納物の移動を規制する押圧片８，９が不要になる。しかし、この場合には、直径が１２ｃｍの光ディスクを収納した状態で、定形郵便物として取り扱えなくなってしまう。
【０００９】
また、パッケージに形成した二つの窓孔からＣＤの縁を露出させることによって、幅を定形寸法内の１２ｃｍに抑えたものが従来からある。しかし、このタイプのものは、パッケージに窓孔が開いているため、そのままでは郵送できず、このパッケージをさらに封筒などに入れる必要があり、その分、コストが高くなるという問題もあった。
この発明の目的は、簡単な構造で収納物の移動を規制することができ、しかも、直径が１２ｃｍの光ディスクを定形郵便物として郵送することも可能なパッケージを提供することである。
【００１０】
【課題を解決するための手段】
第１の発明は、少なくとも対向する二辺を有するベースプレートと、このベースプレートの表面を覆うとともに所定の弾性を有する弾性シートとを備え、上記弾性シートをベースプレートの周囲に固定して、これら弾性シートとベースプレートとの間に収納スペースを設けるとともに、この収納スペースをベースプレートの一辺側に設けた開口部を介して外部に連通させる一方、上記弾性シートには蓋部を設け、この蓋部によって上記開口部を塞ぐパッケージであって、上記弾性シートの厚みを１０〜８０ミクロンにする一方、上記ベースプレートの他辺側に固定する弾性シートを、ベースプレートの裏面で固定するとともに、この弾性シートの蓋部も、ベースプレートの裏面で固定することを特徴とする。
【００１１】
第２の発明は、上記第１の発明において、ベースプレートを長方形にするとともに、その短辺の幅を１２ｃｍとしたことを特徴とする。
【００１２】
第３の発明は、上記第１又は第２の発明において、複数の紙によって構成された冊子を、ベースプレートとしたことを特徴とする。
【００１３】
【発明の実施の形態】
図１〜図８にこの発明の一実施形態を示す。
図１に示すように、長方形をした厚紙からなるベースプレートｂの表面１１を、ポリエチレンやウレタンフィルムなどからなる透明の弾性シートＦによって覆っている。
上記ベースプレートｂは、その短辺１４，１５の寸法である幅Ｗ１を１２ｃｍとし、その長辺１８，１９の寸法である長さＷ２を２３．５ｃｍとしている。
なお、上記長辺１８，１９が、この発明における対向する二辺に相当し、長辺１８がこの発明の他辺に相当し、長辺１９がこの発明の一辺に相当する。
【００１４】
一方、上記弾性シートＦは、その厚みを２０ミクロン〜６０ミクロンとしたものであって、所定の弾性を有している。そして、この弾性シートＦの両側部１２，１３を、ベースプレートｂの短辺１４，１５側に接着し、また、図２に示すように、弾性シートＦの先端部１６を、ベースプレートｂの長辺１８側の裏面１７に接着している。
このように弾性シートＦをベースプレートｂの三辺１４，１５，１８に接着することによって、これら弾性シートＦとベースプレートｂとの間に収納スペースを形成している。
【００１５】
また、図３に示すように、弾性シートＦを接着していないベースプレートｂの長辺１９側に、開口部２０を設けるとともに、この開口部２０から光ディスクなどの物品を収納スペース内に入れるようにしている。
さらに、上記弾性シートＦに蓋部２１を設けるとともに、この蓋部２１に接着テープ２２を設けている。そして、このようにした蓋部２１を、図４に示すように、ベースプレートｂの長辺１９の部分で折り返して裏面１７に張り付けることによって、開口部２０を塞ぐようにしている。
【００１６】
図５、図６は、直径が１２ｃｍの光ディスクＤを収納スペースに収納して、蓋部２１によって開口部２０を塞いだ状態を示している。
図５に示すように、ベースプレートｂの長辺１９の部分で弾性シートＦの蓋部２１を折り返しているので、弾性シートＦをこの長辺１９の部分にぴったり沿わせることができる。しかも、この弾性シートＦが非常に薄いので、図６に示すように、パッケージ全体の幅は、光ディスクＤの直径とほぼ同じになる。厳密に言えば、図７に示すように、パッケージ全体の幅は、光ディスクＤの直径に弾性シートの厚みを加算した値になるが、弾性シートＦの厚みが非常に薄いために、測定誤差の範囲内の値となる。
したがって、ベースプレートｂの幅Ｗ１を１２ｃｍとしておけば、全体の厚みが１ｃｍ以内であって、しかも重さが５０ｇ以下である限り、定形郵便物として郵送することができる。
【００１７】
また、図８に示すように、光ディスクＤは、弾性シートＦの弾性によってベースプレートｂにしっかり保持されているので、光ディスクＤの動きを規制する特別な部材がいらない。したがって、部品コストも安くすることができる。
さらに、この実施形態では、ある程度厚みのある物品でも、その形状に弾性シートＦが追従するので、その物品をしっかり保持することができる。一方、書類などの薄い物品も収納する場合には、ベースプレートｂが台紙の機能を発揮するので、書類などが折れ曲がるといった不都合を防止できる。
【００１８】
なお、弾性シートＦは、物品の厚みに追従するだけの弾性を備えていればいいので、クレープ紙などの紙を弾性シートＦとして用いてもよい。
また、弾性シートＦの厚みというのは、１０〜８０ミクロンの範囲内であってもよい。ただし、簡単に破れないだけの強度を考慮すると、弾性シートＦの厚みは２０ミクロン以上が好ましく、また、厚みを薄くするという観点からすると、その厚みは６０ミクロン以下が好ましい。以上のことから、この実施形態では、弾性フィルムＦの厚みを２０〜６０ミクロンの範囲に設定している。
【００１９】
ところで、上記実施形態では、直径１２ｃｍの光ディスクを定形郵便物として郵送するために、ベースプレートｂの幅Ｗ１を１２ｃｍ、長さＷ２を２３．５ｃｍとしているが、このベースプレートｂの大きさはこれに限定されるものではない。例えば、ベースプレートｂを、いわゆるＡ４サイズの紙が入る大きさにして、このベースプレートｂに柔軟性を有するクレープ紙を弾性シートととして組み合わせれば、大型の封筒として利用することができる。
【００２０】
また、上記実施形態では、ベースプレートｂの表面１１に弾性シートＦの両側部１２，１３を張り付けているが、このようにしたのは、収納する物品の長さに対して収納スペースの長さ方向の内寸にゆとりがあるためである。したがって、収納スペースの内寸にゆとりがない場合には、弾性シートＦの両側部１２，１３を短辺１４，１５で折り返して、ベースプレートｂの裏面１７に弾性シートＦを張り付けてもよい。
【００２１】
一方、この実施形態では、ベースプレートｂとして厚紙を用いているが、ベースプレートｂの長辺１９に沿って蓋部２１を折り返したときに、ベースプレートｂが撓まないだけの強度があればその材質は問わない。そして、このベースプレートｂに必要な強度というのは、弾性シートの弾性と、収納スペースに収納する物品の厚みや大きさによって決まるので、これらの条件に応じてベースプレートｂの強度を選択すればよい。
また、ベースプレートｂは一枚でなくてもよく、例えば収納した物品の情報などを記載した小冊子をベースプレートｂとして用いてもよい。この場合には、弾性シートＦの四辺をベースプレートｂの裏面１７に固定するよい。
さらに、ベースプレートｂは、必ずしも長方形である必要はなく、少なくとも対向する２辺を有していればよい。
【００２２】
なお、弾性シートＦは不透明でも半透明でもよい。また、弾性を有していれば、が、上記実施形態のように透明にすれば、中身がよく見えるので、例えばＣＤ−ＲＯＭを入れたダイレクトメール用の封筒として利用した場合に、高い開封率を期待することができる。
【００２３】
【発明の効果】
第１の発明によれば、ベースプレートと弾性シートとの間の収納スペースに、物品を収納する構成にしたので、簡単な構造で収納した物品の移動を規制することができる。しかも、弾性シートの厚みが薄いので、ベースプレートの幅を１２ｃｍにすれば、直径が１２ｃｍの光ディスクを定形郵便物として郵送することもできる。
【００２４】
第２の発明によれば、ベースプレートを長方形にするとともに、その短辺の幅を１２ｃｍとしたので、直径が１２ｃｍの光ディスクを定形郵便物として郵送することができる。
【００２５】
第３の発明によれば、複数の紙によって構成された冊子を、ベースプレートとしたので、この冊子に、収納した物品の情報などを記載することができる。
【図面の簡単な説明】
【図１】実施形態の正面斜視図である。
【図２】実施形態の背面斜視図である。
【図３】ベースプレートｂを撓ませた状態を示す背面斜視図である。
【図４】開口部を閉じた状態の背面斜視図である。
【図５】光ディスクＤを入れた状態を示す正面斜視図である。
【図６】光ディスクＤを入れた状態を示す正面図である。
【図７】図６のVII―VII線断面図である。
【図８】図６のVIII―VIII線断面図である。
【図９】従来例の斜視図である。
【図１０】従来例の断面図である。
【符号の説明】
ｂ  ベースプレート
Ｆ  弾性シート
１１  ベースプレートの表面
１４  ベースプレートの短辺
１５  ベースプレートの短辺
１７  ベースプレートの裏面
１８  この発明のベースプレートの他辺に相当する長辺
１９  この発明のベースプレートの一辺に相当する長辺
２０  開口部
２１  蓋部
【図１】
2004210317.tif 000003
【図２】
2004210317.tif 000004
【図３】
2004210317.tif 000005
【図４】
2004210317.tif 000006
【図５】
2004210317.tif 000007
【図６】
2004210317.tif 000008
【図７】
2004210317.tif 000009
【図８】
2004210317.tif 000010
【図９】
2004210317.tif 000011
【図１０】
2004210317.tif 000012